(57)【要約】【課題】好適にワイヤーを張架して鳥の飛来を防ぐ。【解決手段】張架具１０は、鳥の飛来を防止する鳥除け装置１００に用いるものであり、ワイヤーＷを張架可能なハンガー部材２０を備えている。ハンガー部材２０は、下方に開口するＵ字状に形成されて、各々が上下に沿って延在しつつワイヤーＷを張架可能な２つの棒状部２１を有しており、２つの棒状部２１のうち、ワイヤーＷが張架される部分よりも下側をベース部材３０に支持されている。【選択図】図１
2018000113.tif 000002
【特許請求の範囲】
【請求項１】
ワイヤーを張架可能な張架部材を備え、鳥の飛来を防止する鳥除け装置の張架具であって、
前記張架部材は、
下方に開口するＵ字状に形成され、各々が上下に沿って延在しつつワイヤーを張架可能な２つの棒状部を有し、
前記２つの棒状部のうち、ワイヤーが張架される部分よりも下側を支持部材に支持されていることを特徴とする鳥除け装置の張架具。
【請求項２】
前記支持部材は、前記２つの棒状部に対応させて各々が上下に沿うように形成された２つの挿通孔を有し、当該２つの挿通孔に前記２つの棒状部を上下に移動可能に挿通させた状態で前記張架部材を支持していることを特徴とする請求項１に記載の鳥除け装置の張架具。
【請求項３】
固定台に当該張架具を固定する固定部を備え、
前記支持部材は、前記固定部よりも前記固定台の手前側で前記張架部材を支持していることを特徴とする請求項１または２に記載の鳥除け装置の張架具。
【請求項４】
固定台に当該張架具を固定する固定部と、
回動軸回りの回動に伴って、前記固定台に当該張架具を固定した状態と当該固定を解除した状態とに前記固定部を切り替え可能なレバー部材と、
を備えることを特徴とする請求項１〜３のいずれか一項に記載の鳥除け装置の張架具。
【請求項５】
前記レバー部材は、前記回動軸と直交する方向に長尺な腕部を有するとともに、この腕部の先端面に当該腕部の長手方向に沿った孔部を有していることを特徴とする請求項４に記載の鳥除け装置の張架具。
【請求項６】
前記レバー部材は、
前記回動軸が左右に沿っているとともに、
前記腕部が、その先端を前記固定台の手前側の斜め上方に向けた状態から、それよりも下側に向けた状態までの範囲で、回動するように構成されていることを特徴とする請求項５に記載の鳥除け装置の張架具。
【請求項７】
前記固定部は、
前記固定台の下面に当接する当接面と、
前記レバー部材の回動に伴って前記固定台を上方から押圧し、当該固定台を前記当接面との間で上下に挟んで固定する押圧手段と、
を備え、
前記押圧手段は、
前記固定台の上面に当接して当該固定台を押圧するプッシャーと、
前記プッシャーを下方向きに付勢する第一スプリングと、
前記プッシャーを上下に移動可能に支持しつつ前記第一スプリングを内部に収容したプッシャー筐体と、
前記プッシャー筐体を上方向きに付勢する第二スプリングと、
を有し、
前記レバー部材の回動に伴って、前記プッシャー筐体が前記第二スプリングの付勢力に抗して下方に押圧されるように構成されていることを特徴とする請求項４〜６のいずれか一項に記載の鳥除け装置の張架具。
【発明の詳細な説明】
【技術分野】
【０００１】
本発明は、ワイヤーを張架して鳥の飛来を防止する鳥除け装置用の張架具に関し、特に、ワイヤーの張力低下を抑制するのに有用な技術である。
【背景技術】
【０００２】
駅には鳩などの鳥の飛来が多く、旅客上家の鉄骨梁に留まる鳥からの糞害といった鳥害が絶えない。
このような鳥害に対しては、図５に示すように、棒状の複数の支柱を立設し、その間にワイヤーを張架することで鳥の飛来を防ぐ技術が知られている（例えば、特許文献１参照）。
【先行技術文献】
【特許文献】
【０００３】
【特許文献１】特許第５７５３８６４号公報
【発明の概要】
【発明が解決しようとする課題】
【０００４】
しかしながら、上記従来の技術では、ワイヤーを張架させる支柱が単純な棒状であるため、この支柱がワイヤーに引っ張られて傾いてしまうおそれがある。支柱が傾いてしまうとワイヤーが張力を失って緩んでしまい、好適に鳥の飛来を防ぐことができなくなる。
【０００５】
本発明は、上記課題を解決するためになされたもので、好適にワイヤーを張架して鳥の飛来を防ぐことを目的とするものである。
【課題を解決するための手段】
【０００６】
上記目的を達成するために、本発明は、ワイヤーを張架可能な張架部材を備え、鳥の飛来を防止する鳥除け装置の張架具であって、
前記張架部材は、
下方に開口するＵ字状に形成され、各々が上下に沿って延在しつつワイヤーを張架可能な２つの棒状部を有し、
前記２つの棒状部のうち、ワイヤーが張架される部分よりも下側を支持部材に支持されるように構成したものである。
これにより、ワイヤーが単純な棒状の支柱に張架されていた従来と異なり、ワイヤーの張力による張架部材の変形を抑制し、ひいてはワイヤーの張力低下を抑制することができる。
【０００７】
望ましくは、前記支持部材は、前記２つの棒状部に対応させて各々が上下に沿うように形成された２つの挿通孔を有し、当該２つの挿通孔に前記２つの棒状部を上下に移動可能に挿通させた状態で前記張架部材を支持するように構成する。
これにより、２つの棒状部を２つの挿通孔内で上下に移動させて張架部材の高さを変更し、ワイヤーの高さを調整することができる。また、２つの棒状部を２つの挿通孔内で下方に移動させると、張架部材のうち２つの棒状部を繋ぐ上端の連結部が支持部材に当たるため、張架部材の固定が緩んだ場合でも当該張架部材の脱落を防止することができる。
【０００８】
さらに望ましくは、固定台に当該張架具を固定する固定部を備え、
前記支持部材は、前記固定部よりも前記固定台の手前側で前記張架部材を支持するように構成する。
これにより、固定台の上方に他の部材が存在する場合であっても、張架部材を当該他の部材に干渉させることなくその手前側に位置させて、好適にワイヤーを張架することができる。
【０００９】
さらに望ましくは、固定台に当該張架具を固定する固定部と、
回動軸回りの回動に伴って、前記固定台に当該張架具を固定した状態と当該固定を解除した状態とに前記固定部を切り替え可能なレバー部材と、
を備えるように構成する。
これにより、レバー部材を回動させるだけで簡便に張架具を固定することができる。
【００１０】
さらに望ましくは、前記レバー部材は、前記回動軸と直交する方向に長尺な腕部を有するとともに、この腕部の先端面に当該腕部の長手方向に沿った孔部を有するように構成する。
これにより、例えば棒状の工具などを孔部に挿し込むことで、腕部の長さを補ってより大きなトルクでレバー部材を回動させることができる。したがって、手で直接回す場合に比べて腕部を短くすることができるため、装置のコンパクト化を図ることができる。
【００１１】
さらに望ましくは、前記レバー部材は、
前記回動軸が左右に沿っているとともに、
前記腕部が、その先端を前記固定台の手前側の斜め上方に向けた状態から、それよりも下側に向けた状態までの範囲で、回動するように構成する。
これにより、腕部の先端面は常に手前側を向いているため、作業者はこの先端面の孔部に前側から容易に工具などを挿し込んでレバー部材を回動させることができる。
【００１２】
さらに望ましくは、前記固定部は、
前記固定台の下面に当接する当接面と、
前記レバー部材の回動に伴って前記固定台を上方から押圧し、当該固定台を前記当接面との間で上下に挟んで固定する押圧手段と、
を備え、
前記押圧手段は、
前記固定台の上面に当接して当該固定台を押圧するプッシャーと、
前記プッシャーを下方向きに付勢する第一スプリングと、
前記プッシャーを上下に移動可能に支持しつつ前記第一スプリングを内部に収容したプッシャー筐体と、
前記プッシャー筐体を上方向きに付勢する第二スプリングと、
を有し、
前記レバー部材の回動に伴って、前記プッシャー筐体が前記第二スプリングの付勢力に抗して下方に押圧されるように構成する。
これにより、プッシャー筐体が第二スプリングにより上方に付勢された状態で、その内部のプッシャーが第一スプリングの付勢力で固定台を下方に押圧して当該固定台を固定する。したがって、例えば列車風圧や振動などの外力が作用した場合でも、当該外力を２つのスプリングの付勢力で吸収させて、固定台に対する固定を緩みにくくすることができる。
【発明の効果】
【００１３】
本発明によれば、好適にワイヤーを張架して鳥の飛来を防ぐことができる。
【図面の簡単な説明】
【００１４】
【図１】実施形態における鳥除け装置の設置状態を示す図である。
【図２】実施形態における張架具の（ａ）平面図であり、（ｂ）正面図である。
【図３】実施形態における張架具の（ａ）レバー部材の押圧解除状態での側断面図であり、（ｂ）レバー部材の押圧状態での側断面図である。
【図４】実施形態における張架具の取付け手順を説明するための側断面図である。
【図５】従来の鳥除け装置を説明するための図である。
【発明を実施するための形態】
【００１５】
以下、本発明の実施形態について、図面を参照して説明する。
【００１６】
［鳥除け装置の張架具の構成］
まず、本実施形態における鳥除け装置の張架具（以下、単に「張架具」という。）１０の構成について説明する。
図１は、張架具１０を備える鳥除け装置１００の設置状態を示す図であり、図２（ａ），（ｂ）は、張架具１０の平面図及び正面図である。また、図３は、図２（ｂ）のIII−III線での張架具１０の側断面図であって、このうち（ａ）が後述のレバー部材５０の押圧解除状態のものであり、（ｂ）が押圧状態でのものである。
図１に示すように、鳥除け装置１００は、互いに離して設置された複数の張架具１０の間にワイヤーＷが張架されて構成されており、当該ワイヤーＷにより鳥の飛来を防止するものである。
【００１７】
張架具１０は、図２及び図３に示すように、固定板Ｐに固定された状態でワイヤーＷが張架されるものであり、ハンガー部材２０と、ベース部材３０と、押圧ユニット４０と、レバー部材５０とを備えている。
なお、本実施形態においては、固定板Ｐが略水平に設けられるとともに、ワイヤーＷが固定板Ｐに沿って略水平に張架されるものとする。また、以下の説明において、「前」「後」「左」「右」「上」「下」との記載は、特に断りのない限り、ワイヤーＷの張架方向を左右方向とし、固定板Ｐに対する張架具１０の取付け方向を前方として、当該張架具１０から見た方向を意味するものとする。
【００１８】
ハンガー部材２０は、ワイヤーＷが張架される部材であって、下方に開口するＵ字棒状に形成されており、各々が上下に沿って延在する２つの棒状部２１と、これら２つの棒状部２１を連結する上端の連結部２２とから構成されている。このうち、各棒状部２１は、上下に長尺に形成されており、長手方向に沿って数ｃｍピッチで形成されつつそれぞれ左右に貫通された複数の貫通孔２１ａを有している。これら複数の貫通孔２１ａには、スプリング２３を介してワイヤーＷが掛けられるほか、後述するように、当該ハンガー部材２０を固定するための固定ピン３４が挿通される。
【００１９】
ベース部材３０は、他の各部材を支持する基体部材であり、下部ベース部材３１と、中部ベース部材３２と、上部ベース部材３３とを備えて構成されている。
このうち、下部ベース部材３１は、前後方向に垂直な略平板状の前板部３１１を有している。前板部３１１の左右両側部には、ハンガー部材２０の２つの棒状部２１に対応して、各々が上下に沿った２つの棒挿通孔３１１ａが形成されている。これら２つの棒挿通孔３１１ａには、２つの棒状部２１が上下に移動可能に挿通されている。また、前板部３１１の一方側（図２の紙面右側）の側面には、当該一方側の棒挿通孔３１１ａと連通するとともに左右に沿ったピン挿通孔３１１ｂが形成されている。このピン挿通孔３１１ｂには固定ピン３４が挿通可能になっており、ハンガー部材２０の棒状部２１を棒挿通孔３１１ａに挿通させた状態で、この固定ピン３４を棒状部２１の貫通孔２１ａとともにピン挿通孔３１１ｂに挿通させることで、ハンガー部材２０が下部ベース部材３１に固定（支持）されるようになっている。
下部ベース部材３１のうち、前板部３１１の後面の左右中央には、後方に開口する側面視コ字状に形成されたコ字状部３１２が突設されている。このコ字状部３１２の上板部には、平面視円形の段付き穴状の貫通孔３１２ａが形成されている。また、コ字状部３１２の下板部上面は、固定板Ｐの下面と当接する当接面３１２ｂとなっており、当該固定板Ｐの脱落を防止する目的で左右両側部のみが側面視波形状に形成されている。
【００２０】
中部ベース部材３２は、押圧ユニット４０を内部に収容するものであり、円筒状に形成されている。この中部ベース部材３２は、その内径を下部ベース部材３１のコ字状部３１２の貫通孔３１２ａと同心状にした状態で、当該コ字状部３１２の上面に固定されている。
上部ベース部材３３は、中部ベース部材３２と同程度の左右幅であって、上方に開口する正面視コ字状に形成されている。この上部ベース部材３３は、下板部のやや後側に円形の貫通孔３３ａを有しており、この貫通孔３３ａを中部ベース部材３２の内径と同心状にした状態で、当該中部ベース部材３２の上端に固定されている。また、上部ベース部材３３の一方側の側板には、レバー部材５０に設けられた後述の係止ピン５４１が係止される係止孔３３ｂが形成されている。
【００２１】
押圧ユニット４０は、固定板Ｐを上方から押圧し、下部ベース部材３１の当接面３１２ｂとの間で当該固定板Ｐを上下に挟み込んで固定するためのものであり、プッシャー筐体４１を有している。
プッシャー筐体４１は、上部の外径がやや大きい段付き円筒状に形成されるとともに、内径よりも一回り小さい挿通孔４１ａを下端面に有している。このプッシャー筐体４１の内側には、上端に鍔部を有する略円柱状のプッシャー４２が上下（軸方向）に摺動可能に挿通孔４１ａに挿通され、且つ、このプッシャー４２を下方向きに付勢する内側スプリング（コイルスプリング）４３が当該プッシャー４２の上側に挿入された状態で、上部の内周に形成された細目ねじにスクリュープラグ４４が螺合されて上部が閉止されている。
そして、このプッシャー筐体４１は、下側の小径部を外側スプリング（コイルスプリング）４５内に挿入させた状態で、当該外側スプリング４５とともに、ベース部材３０の中部ベース部材３２内に上下（軸方向）に摺動可能なように挿通されている。より詳しくは、外側スプリング４５が、上端をプッシャー筐体４１の段付き下面に当接させつつ、下端を下部ベース部材３１の貫通孔３１２ａの段付き上面に当接させ、且つ、プッシャー筐体４１が、下端を下部ベース部材３１の貫通孔３１２ａ内に上下に摺動可能に挿通させつつ、上部の大径部を中部ベース部材３２の内周及び上部ベース部材３３の貫通孔３３ａ内に上下に摺動可能に挿通させた状態となっている。
【００２２】
このような構成により、押圧ユニット４０では、プッシャー筐体４１が下方に押圧されてプッシャー４２の下面が固定板Ｐと当接することで、内側スプリング４３の付勢力によって当該プッシャー４２が固定板Ｐを押圧する。このとき、プッシャー筐体４１は、外側スプリング４５の上方への付勢力に抗して下方に押圧されている（つまり、外側スプリング４５がプッシャー筐体４１を上方に押し返している）。
【００２３】
レバー部材５０は、押圧ユニット４０を下方に押圧するためのものであり、左右に沿った柱状の回動部５１と、この回動部５１から前側（左右と直交する方向）へ長尺に延出する略平板状の腕部５２とを有している。このレバー部材５０は、回動部５１が押圧ユニット４０の上方に位置した状態で上部ベース部材３３の両側板内に配置されており、回動部５１内に左右に沿って挿通されつつ両端が上部ベース部材３３の両側板に支持された回動軸５３回りに回動可能に設けられている。
【００２４】
レバー部材５０の回動部５１は、その回動に伴って押圧ユニット４０（プッシャー筐体４１及びスクリュープラグ４４）の上面と当接する周面部分が変化（移動）することにより、当該押圧ユニット４０を下方に押圧した押圧状態と、この押圧を解除（緩和）した押圧解除状態とを取り得るように構成されている。
具体的に、回動部５１の周面は、レバー部材５０の押圧解除状態において押圧ユニット４０と当接する第一当接面５１ａと、レバー部材５０の押圧状態において押圧ユニット４０と当接する第二当接面５１ｂとを有している。
第一当接面５１ａは、回動軸５３の軸中心からの距離よりも大きい曲率半径を有する緩やかな湾曲面であり、レバー部材５０を押圧状態から押圧解除状態にするときの回転方向（図３では時計回り）の前側（以下、「解除方向前側」という。）に向かって、次第に回動軸５３の軸中心から離れるように形成されている。この第一当接面５１ａは、腕部５２の先端（前端）が前方斜め上方を向いた状態のときに回動軸５３の下方に位置する（図３（ａ））。
第二当接面５１ｂは、回動軸５３の軸中心からの距離よりも大きい曲率半径を有する緩やかな面であって解除方向前側に向かって次第に回動軸５３の軸中心から離れるように形成された湾曲面と、この湾曲面の解除方向前側に連なり回動軸５３の径方向に略垂直な平坦面とを有している。また、第二当接面５１ｂは、第一当接面５１ａよりも回動軸５３の軸中心からの距離が離れている。この第二当接面５１ｂは、小さな半径の屈曲面を介して第一当接面５１ａの解除方向前側に連なっており、腕部５２の先端（前端）が前方やや斜め下方を向いた状態のときに当該第二当接面５１ｂのうちの平坦面が回動軸５３の下方に位置する（図３（ｂ））。
【００２５】
レバー部材５０の腕部５２には、当該腕部５２の延在方向に沿った所定深さの円形孔５２ａが前端面に形成されている。後述するように、この円形孔５２ａには、レバー部材５０が回動される際に、例えばドライバーやレンチの柄などの棒状の工具Ｔ（図４参照）が挿し込まれる。
また、図２（ｂ）に示すように、腕部５２の一方側の側面には、左右に沿った円形の収容孔５２ｂが形成されており、この収容孔５２ｂ内には、出没自在な係止ピン５４１を有するスプリングプランジャー５４が収容されている。そして、レバー部材５０が押圧状態となったときに、上部ベース部材３３の側板に形成された係止孔３３ｂにスプリングプランジャー５４の係止ピン５４１が係止されることにより、当該押圧状態が保持されるようになっている。
【００２６】
［鳥除け装置の設置手順］
続いて、鳥除け装置１００を設置する際の手順について説明する。
図４は、張架具１０の取付け手順を説明するための側断面図である。
【００２７】
図４に示すように、鳥除け装置１００を設置する際には、設置作業を行う作業者は、まず張架具１０を固定板Ｐ（本実施形態では、Ｈ形鋼の下側の側板）に固定する。
具体的に、作業者は、レバー部材５０を押圧解除状態（二点鎖線の状態）にしてから、下部ベース部材３１のコ字状部３１２の間に固定板Ｐを挿入するようにして、張架具１０を前側から固定板Ｐにセットする。
【００２８】
それから、作業者は、レバー部材５０の腕部５２前端面の円形孔５２ａに棒状の工具Ｔを挿し込んで、レバー部材５０が押圧状態となるまで下側に回す。
このとき、腕部５２の先端面は押圧解除状態から押圧状態までの回動範囲で常に前側を向いているため、作業者はこの先端面の円形孔５２ａに容易に工具Ｔを挿し込んでレバー部材５０を回動させることができる。
【００２９】
レバー部材５０が押圧状態まで回動されると、レバー部材５０基端の回動部５１が外側スプリング４５の付勢力に抗してプッシャー筐体４１を下方に押圧する。これにより、プッシャー４２の下面が固定板Ｐと当接して、内側スプリング４３の付勢力によって当該プッシャー４２が固定板Ｐを押圧し、下部ベース部材３１の当接面３１２ｂとの間で固定板Ｐを上下に挟んで固定する。そして、レバー部材５０の腕部５２内に設けられたスプリングプランジャー５４の係止ピン５４１が上部ベース部材３３の係止孔３３ｂに係止されて当該係止孔３３ｂから突出し、当該レバー部材５０が押圧状態に保持される（図２（ｂ）参照）。
このとき、プッシャー筐体４１が外側スプリング４５により上方に付勢された状態で、その内部のプッシャー４２が内側スプリング４３の付勢力で固定板Ｐを下方に押圧しているため、振動などの外力が作用した場合でも、当該外力は内側スプリング４３及び外側スプリング４５の付勢力によって吸収される。
また、上部ベース部材３３の係止孔３３ｂから突出した係止ピン５４１を視認するだけで、張架具１０が適切に固定板Ｐに固定されていることを確認することができる。
【００３０】
それから、作業者は、必要に応じてハンガー部材２０の高さを調整する。具体的に、作業者は、ハンガー部材２０の２つの棒状部２１を下部ベース部材３１の２つの棒挿通孔３１１ａ内で上下に移動させ、固定ピン３４で下部ベース部材３１に固定することで、当該ハンガー部材２０の高さを変更する。
このとき、ハンガー部材２０を支持する下部ベース部材３１の前板部３１１が、固定板Ｐが固定されるコ字状部３１２よりも前側に位置している、つまりハンガー部材２０が固定板Ｐよりも前側で支持されているため、ハンガー部材２０を上方に移動させた場合でも当該ハンガー部材２０がＨ形鋼の上側の側板に干渉するようなことがない。これにより、例えばＨ形鋼の上面の側方を覆うようにワイヤーＷを張架させることも可能となる。
【００３１】
そして、図１に示すように、作業者は、上記同様の作業を繰り返して数ｍ間隔で複数の張架具１０を設置した後、各張架具１０のハンガー部材２０のうち下部ベース部材３１に支持された部分よりも上側に、スプリング２３を介してワイヤーＷを（本実施形態では上下２段に）掛け、隣り合う張架具１０間に当該ワイヤーＷを張架する。
こうして、固定板Ｐ上に好適にワイヤーＷが張架され、当該固定板Ｐ上への鳥の飛来が防止される。
【００３２】
［効果］
以上のように、本実施形態の張架具１０によれば、ハンガー部材２０が下方に開口するＵ字状に形成されるとともに、当該ハンガー部材２０の２つの棒状部２１のうちワイヤーＷが張架される部分よりも下側が下部ベース部材３１に支持されている。
これにより、ワイヤーが単純な棒状の支柱に張架されていた従来と異なり、ワイヤーＷの張力によるハンガー部材２０の変形を抑制し、ひいてはワイヤーＷの張力低下を抑制することができる。したがって、好適にワイヤーＷを張架して鳥の飛来を防ぐことができる。
【００３３】
また、下部ベース部材３１が、２つの棒状部２１に対応させて各々が上下に沿うように形成された２つの棒挿通孔３１１ａを有しており、この２つの棒挿通孔３１１ａに２つの棒状部２１を上下に移動可能に挿通させた状態でハンガー部材２０を支持している。
これにより、２つの棒状部２１を２つの棒挿通孔３１１ａ内で上下に移動させてハンガー部材２０の高さを変更し、ワイヤーＷの高さを調整することができる。また、２つの棒状部２１を２つの棒挿通孔３１１ａ内で下方に移動させると、ハンガー部材２０の上端の連結部２２が下部ベース部材３１に当たるため、ハンガー部材２０の固定が緩んだ場合でも当該ハンガー部材２０の脱落を防止することができる。
【００３４】
また、下部ベース部材３１が、固定板Ｐに張架具１０を固定する固定部（コ字状部３１２及び押圧ユニット４０）よりも前側でハンガー部材２０を支持している。
これにより、Ｈ形鋼などのように固定板Ｐの上方に他の部材（部分）が存在する場合であっても、ハンガー部材２０を当該他の部材に干渉させることなくその前側に位置させて、好適にワイヤーＷを張架することができる。
【００３５】
また、レバー部材５０を回動軸５３回りに回動させることにより、押圧ユニット４０を下方に押圧した押圧状態と、この押圧を解除した押圧解除状態とに切り替え可能に構成されているので、当該レバー部材５０を回動させるだけで簡便に張架具１０を固定することができる。
【００３６】
また、レバー部材５０が、回動軸５３と直交する方向に長尺な腕部５２を有するとともに、この腕部５２の先端面に当該腕部５２の長手方向に沿った円形孔５２ａを有している。
これにより、例えば棒状の工具Ｔなどを円形孔５２ａに挿し込むことで、腕部５２の長さを補ってより大きなトルクでレバー部材５０を回動させることができる。したがって、手で直接回す場合に比べて腕部５２を短くすることができるため、装置のコンパクト化を図ることができる。
【００３７】
また、腕部５２がその先端を前方斜め上方に向けた状態から、それよりも下側の前方やや斜め下方に向けた状態までの範囲で、レバー部材５０が回動するように構成されている。
これにより、腕部５２の先端面は常に前側を向いているため、作業者はこの先端面の円形孔５２ａに前側から容易に工具Ｔを挿し込んでレバー部材５０を回動させることができる。
【００３８】
また、押圧ユニット４０は、プッシャー筐体４１が外側スプリング４５により上方に付勢された状態で、その内部のプッシャー４２が内側スプリング４３の付勢力で固定板Ｐを下方に押圧して当該固定板Ｐを固定する。
これにより、例えば列車風圧や振動などの外力が作用した場合でも、当該外力を内側スプリング４３及び外側スプリング４５の付勢力で吸収させて、固定板Ｐに対する固定を緩みにくくすることができる。
【００３９】
［変形例］
なお、本発明を適用可能な実施形態は、上述した実施形態に限定されることなく、本発明の趣旨を逸脱しない範囲で適宜変更可能である。
【００４０】
例えば、上記実施形態では、腕部５２を前方斜め上方から前方やや斜め下方に向けるまでの範囲でレバー部材５０が回動することとしたが、当該レバー部材５０の回動範囲はこれに限定されず、腕部５２の円形孔５２ａが前側を向いた状態の範囲であればよい。
【００４１】
また、ハンガー部材２０には、そのＵ字状の内側を鳥が潜り抜けないように、当該内側にワイヤーＷを張架させてもよい。
【００４２】
また、上下に立設された張架具１０（ハンガー部材２０）にワイヤーＷを水平に張架させることとしたが、これらの設置方向は特に限定されず、例えば、張架具を固定する固定台の傾斜等に応じてワイヤーが斜めに張架されていてもよい。
【符号の説明】
【００４３】
１００      鳥除け装置
１０        張架具
２０        ハンガー部材
２１        棒状部
２１ａ      貫通孔
２２        連結部
３０        ベース部材
３１        下部ベース部材
３１１      前板部
３１１ａ    棒挿通孔
３１２      コ字状部
３１２ｂ    当接面
３３        上部ベース部材
３３ｂ      係止孔
３４        固定ピン
４０        押圧ユニット
４１        プッシャー筐体
４２        プッシャー
４３        内側スプリング
４４        スクリュープラグ
４５        外側スプリング
５０        レバー部材
５１        回動部
５２        腕部
５２ａ      円形孔
５３        回動軸
Ｐ          固定板
Ｗ          ワイヤー
【図１】
2018000113.tif 000003
【図２】
2018000113.tif 000004
【図３】
2018000113.tif 000005
【図４】
2018000113.tif 000006
【図５】
2018000113.tif 000007